(57)【要約】【課題】  店舗で利用可能な認証付きクーポンシステムを提供することを目的とする。【解決手段】  店舗に設置されたＲ／Ｗ装置または利用者が利用する利用者端末から、少なくとも利用者を識別する利用者ＩＤと、Ｒ／Ｗ装置または店舗を識別する端末ＩＤと、利用日時情報とを含むクーポン利用情報を取得するクーポン利用情報取得部と、取得したクーポン利用情報を記憶するクーポン利用情報記憶部と、店舗が利用する店舗端末から、店舗で利用されたクーポン利用情報の取得要求を受け付け、店舗で利用されたクーポンに関する情報の抽出結果を店舗端末に送るクーポン利用情報提供部と、を有する認証付きクーポンシステムである。【選択図】  図１
2012181637.tif 000002
【特許請求の範囲】
【請求項１】
利用者が店舗でクーポンを利用したことを確認可能な認証付きクーポンシステムであって、
前記認証付きクーポンシステムは、
店舗に設置されたＲ／Ｗ装置または前記利用者が利用する利用者端末から、少なくとも利用者を識別する利用者ＩＤと、前記Ｒ／Ｗ装置または前記店舗を識別する端末ＩＤと、利用日時情報とを含むクーポン利用情報を取得するクーポン利用情報取得部と、
前記取得したクーポン利用情報を記憶するクーポン利用情報記憶部と、
前記店舗が利用する店舗端末から、前記店舗で利用されたクーポン利用情報の取得要求を受け付け、前記店舗で利用されたクーポンに関する情報の抽出結果を前記店舗端末に送るクーポン利用情報提供部と、
を有することを特徴とする認証付きクーポンシステム。
【請求項２】
前記認証付きクーポンシステムは、さらに、
前記利用者端末に対してクーポン情報を送るクーポンサーバから前記利用者ＩＤを受け付け、前記受け付けた利用者ＩＤに基づいて前記クーポン利用情報記憶部を検索することで、前記利用者が特別クーポン情報提供条件を充足しているかを判定する特別クーポン提供条件判定部、
を有することを特徴とする請求項１に記載の認証付きクーポンシステム。
【請求項３】
前記認証付きクーポンシステムは、さらに、
地下鉄の通路から地上への出入口付近に設置された、前記利用者端末に対してクーポン情報を送るクーポン情報提供装置、を有しており、
前記クーポン情報提供装置は、
前記出入口の周辺に存在する店舗のクーポン情報を前記利用者端末に対して送る、
ことを特徴とする請求項１または請求項２に記載の認証付きクーポンシステム。
【請求項４】
前記認証付きクーポンシステムは、さらに、
前記店舗端末において、
前記店舗端末で取得した前記抽出結果における利用日時の情報に基づいて、前記店舗で売上管理を行う端末での対応する売上データを抽出し、
前記抽出結果のクーポン内容と前記抽出した売上データとを比較することで、クーポン情報の不正利用がないかを判定する、
ことを特徴とする請求項１から請求項３のいずれかに記載の認証付きクーポンシステム。
【発明の詳細な説明】
【技術分野】
【０００１】
本発明は、飲食店をはじめとしたさまざまな店舗や施設（以下、これらを総称して「店舗」とする）で利用可能な認証付きクーポンシステムに関する。
【背景技術】
【０００２】
飲食店などの店舗では、利用者による店舗利用を促すために、料金の減免やサービスが付加されるなどの各種特典を受けられる、さまざまなクーポンを発行している。これらクーポンは、一般的には、クーポンが印刷された広告やウェブサイト上のクーポン画面を印刷した紙を店員に提示することで、クーポンにかかるサービスを享受する。また、近年では、携帯端末（携帯電話、スマートフォン、ＰＨＳ、ネットブックなどの可搬型通信端末）の普及に伴い、携帯端末の表示装置にクーポン画面を表示させ、それを店員に提示することでもクーポンにかかるサービスが享受可能となっている。
【０００３】
このようなクーポンを用いたシステムの一例が下記特許文献である。
【先行技術文献】
【特許文献】
【０００４】
【特許文献１】特開２００３−２０８５３５号公報
【特許文献２】特開２００４−３２６３０３号公報
【発明の概要】
【発明が解決しようとする課題】
【０００５】
上述の特許文献あるいは従来技術によるシステムでは、店舗利用者は、店舗利用時にクーポンが印刷された紙や携帯端末を提示することで、気軽に利益を享受することができる点で有益である。
【０００６】
しかしながら、紙に印刷されたクーポンや携帯端末の表示装置のクーポン画面を店員が確認することでクーポンの利用を認めていることから、店舗にとっては、実際にクーポンが利用されたかどうかの確認が、店員の善意に依存してしまう。従って、店員が悪意によって、クーポンが利用されたことを登録してしまえば、店員による売上の着服などもあり得る。
【０００７】
たとえば、ある店舗が１０％割引のクーポンを発行していたとする。当該店舗のある利用者が正規料金（クーポンを利用しない料金）で１万円を支払った場合、本来であれば、店舗の売上として１万円が計上される。しかし、悪意ある店員が、当該利用者がクーポンを利用して支払ったことにして処理をすることがある。
【０００８】
この場合、店舗の売上として９０００円（１万円の１０％割引）が登録される一方、残りの１０００円を店員が着服する。店舗としては、実際にクーポンが利用されたかどうかの確認は、店員に委ねられているので、確認のしようがない。つまり、紙に印刷されたクーポンの場合、クーポンを印刷することは通常容易であることから、当該店員があらかじめ印刷しておき、それを利用者が提示したことにして、店舗での記録に代えてしまうことができる。また、携帯端末の表示装置のクーポン画面の場合には、店員から、当該利用者から携帯端末の表示装置のクーポン画面を見せられたと主張されれば、それも確認のしようがない。
【０００９】
このようなことへの対策の一つとして、紙に印刷されたクーポンの場合、利用者の住所、氏名の記入欄がある。しかし、個人情報への意識の高まりによって、自主的に記入してもらうことは容易ではなく、店舗側からそれを強制することも容易ではない。そのため、記入されていない場合であっても、顧客サービスの観点から受け付けざるを得ない場合も多い。また、記入を求めたとしても、そこに真実の住所、氏名が記入される保証がなく、悪意ある店員が自ら印刷したクーポンに、架空の住所、氏名を記入してしまうおそれもある。
【００１０】
以上のように、従来の紙によるクーポン、携帯端末の表示装置のクーポン画面では、店舗の店員の善意が前提となっている。しかし、実際には、悪意ある店員がいないわけではなく、店舗にとっては、クーポンを発行することは諸刃の剣になりかねない。そのため、クーポンの発行に二の足を踏む店舗もある。
【００１１】
そこで、利用者が実際にクーポンを利用したことを確認可能な、認証付きのクーポンシステムが望まれている。
【課題を解決するための手段】
【００１２】
本発明者は上述の課題に鑑み、認証付きクーポンシステムを発明した。
【００１３】
第１の発明は、利用者が店舗でクーポンを利用したことを確認可能な認証付きクーポンシステムであって、前記認証付きクーポンシステムは、店舗に設置されたＲ／Ｗ装置または前記利用者が利用する利用者端末から、少なくとも利用者を識別する利用者ＩＤと、前記Ｒ／Ｗ装置または前記店舗を識別する端末ＩＤと、利用日時情報とを含むクーポン利用情報を取得するクーポン利用情報取得部と、前記取得したクーポン利用情報を記憶するクーポン利用情報記憶部と、前記店舗が利用する店舗端末から、前記店舗で利用されたクーポン利用情報の取得要求を受け付け、前記店舗で利用されたクーポンに関する情報の抽出結果を前記店舗端末に送るクーポン利用情報提供部と、を有する認証付きクーポンシステムである。
【００１４】
従来は、店舗が、実際にクーポンが利用されたかを確認することが困難であったことから、店員によるクーポンを用いた不正が発生していた。本発明では、店舗が実際にクーポンが利用されたかを確認することができるので、クーポンを用いた不正の防止に役立つ。また、店員に対するクーポンを用いた不正への抑止効果も働くこととなる。
【００１５】
上述の発明において、前記認証付きクーポンシステムは、さらに、前記利用者端末に対してクーポン情報を送るクーポンサーバから前記利用者ＩＤを受け付け、前記受け付けた利用者ＩＤに基づいて前記クーポン利用情報記憶部を検索することで、前記利用者が特別クーポン情報提供条件を充足しているかを判定する特別クーポン提供条件判定部、を有する認証付きクーポンシステムのように構成することもできる。
【００１６】
本発明のように構成することで、クーポンの利用頻度が高い利用者に対しては、通常とは異なる特別なクーポンを提供することが可能となる。
【００１７】
上述の発明において、前記認証付きクーポンシステムは、さらに、地下鉄の通路から地上への出入口付近に設置された、前記利用者端末に対してクーポン情報を送るクーポン情報提供装置、を有しており、前記クーポン情報提供装置は、前記出入口の周辺に存在する店舗のクーポン情報を前記利用者端末に対して送る、認証付きクーポンシステムのように構成することもできる。
【００１８】
地下鉄の通路から地上へ上がる場合にはその出入口を必然的に利用する。とすると、その出入口を利用する者は、出入口周辺を通行することとなる。そのため、そのような者に対してクーポン情報を提供すれば、クーポンの利用の可能性が高まるし、また効果としても高くなる。
【００１９】
上述の発明において、前記認証付きクーポンシステムは、さらに、前記店舗端末において、前記店舗端末で取得した前記抽出結果における利用日時の情報に基づいて、前記店舗で売上管理を行う端末での対応する売上データを抽出し、前記抽出結果のクーポン内容と前記抽出した売上データとを比較することで、クーポン情報の不正利用がないかを判定する、認証付きクーポンシステムのように構成することもできる。
【００２０】
クーポンは支払時に利用されることが多い。そのため、クーポンの利用日時と、売上が登録される日時とは同時または近接していることが一般的である。そのため本発明のように構成することで、自動的にクーポン情報の不正利用があるかを判定することが可能となる。
【発明の効果】
【００２１】
本発明の認証付きクーポンシステムによって、利用者が実際に利用したクーポンであることを店舗側が確認することができるので、悪意ある店員によるクーポンを用いた不正を防止することができる。
【図面の簡単な説明】
【００２２】
【図１】本発明の全体の概念を示す概念図である。
【図２】本発明のシステム構成の一例を模式的に示す概念図である。
【図３】クーポン利用証明サーバのハードウェア構成の一例を模式的に示す概念図である。
【図４】本発明の処理の一例を示すフローチャートである。
【図５】クーポン情報を取得するための一例を示す図である。
【図６】クーポン情報を取得するためのほかの一例を示す図である。
【図７】クーポン利用情報記憶部の一例を模式的に示す図である。
【図８】店舗設置端末情報記憶部の一例を模式的に示す図である。
【図９】第２の実施態様におけるシステム構成の一例を模式的に示す概念図である。
【図１０】第２の実施態様における処理の一例を示すフローチャートである。
【図１１】第３の実施態様におけるシステム構成の一例を模式的に示す概念図である。
【図１２】地下鉄の通路から地上への出入口付近に、クーポン情報提供装置が設置された状態を模式的に示す概念図である。
【図１３】第２の実施態様における全体の概念を示す概念図である。
【発明を実施するための形態】
【００２３】
本発明の全体の概念を図１に、システム構成の一例を図２に示す。本発明の認証付きクーポンシステム１（以下、「クーポンシステム１」という）では、利用者が利用する携帯端末やＩＣカード（以下、「利用者端末３」という）と、利用者端末３と接触または非接触により情報の送受信が可能なＲ／Ｗ装置４と、クーポン利用証明サーバ２と、店舗が利用するコンピュータ端末である店舗端末５とを有している。
【００２４】
クーポン利用証明サーバ２は、プログラムの演算処理を実行するＣＰＵなどの演算装置７０と、情報を記憶するＲＡＭやハードディスクなどの記憶装置７１と、ディスプレイ（画面）などの表示装置７２と、キーボードやポインティングデバイス（マウスやテンキーなど）などの入力装置７３と、演算装置７０の処理結果や記憶装置７１に記憶する情報をインターネットやＬＡＮなどのネットワークを介して送受信する通信装置７４とを有している。コンピュータ上で実現する各機能（各手段）は、その処理を実行する手段（プログラムやモジュールなど）が演算装置７０に読み込まれることでその処理が実行される。各機能は、記憶装置７１に記憶した情報をその処理において使用する場合には、該当する情報を当該記憶装置７１から読み出し、読み出した情報を適宜、演算装置７０における処理に用いる。図３にクーポン利用証明サーバ２のハードウェア構成の一例を模式的に示す。また、クーポン利用証明サーバ２における処理は、複数のサーバに、その機能が分散配置されていても良い。
【００２５】
本発明における各手段は、その機能が論理的に区別されているのみであって、物理上あるいは事実上は同一の領域を為していても良い。
【００２６】
利用者端末３は、利用者がクーポンを利用する際に用いる携帯端末やＩＣカードであって、後述するＲ／Ｗ装置４と接触または非接触により情報の送受信が可能である。
【００２７】
利用者端末３は、クーポン情報取得部３０とクーポン情報記憶部３１とを有している。
【００２８】
クーポン情報取得部３０は、所定の方法により、店舗のクーポン情報を取得することで、クーポン情報記憶部３１に記憶させる。クーポン情報には、たとえば店舗を識別する情報（店舗名や店舗ＩＤなど）、クーポンの内容を示す情報（たとえば受けられるサービスの内容、有効期限、利用条件など）があることが好ましいが、それに限定されない。クーポン情報の取得方法としてはさまざまな方法がある。
【００２９】
第１の方法を図５に示す。第１の方法としては、当該店舗のウェブサイトの所定箇所に表示された画面の所定領域に表示された所定のコード、たとえば２次元コードなどのコードを利用者端末３に備えられた撮像装置で読み取り（図５（ａ））、その読み取ったコードに基づくＵＲＬなどのアクセス先を示す情報を取得する（図５（ｂ））。そして、そのアクセス先を示す情報に基づいてクーポン情報が表示された画面を提供するサーバ（クーポンサーバ６）にアクセスすることで（図５（ｃ））、クーポン情報をクーポンサーバ６から取得（ダウンロード）する方法である。このようにすることで、クーポンサーバ６からクーポン情報をクーポン情報取得部３０が取得し、取得したクーポン情報がクーポン情報記憶部３１に記憶される。
【００３０】
第２の方法を図６に示す。第２の方法としては、当該店舗のウェブサイトの所定箇所に設けられた入力欄に利用者の電子メールアドレスを入力することで（図６（ａ））、電子メールにより、クーポン情報が表示された画面を提供するクーポンサーバ６へのアクセス先を示す情報を受信する（図６（ｂ））。そして、それに基づいてクーポン情報が表示された画面にアクセスすることで（図６（ｃ））、クーポン情報をクーポンサーバ６から取得（ダウンロード）する方法である。このようにすることで、クーポンサーバ６からクーポン情報をクーポン情報取得部３０が取得し、取得したクーポン情報がクーポン情報記憶部３１に記憶される。
【００３１】
第３の方法としては、利用者端末３のクーポン情報取得部３０に、クーポンサーバ６からクーポン情報を取得するためのアプリケーションプログラムが記憶されており、利用者が利用者端末３で所定の操作をすることで当該アプリケーションプログラムを起動してクーポン情報の取得の操作を行うことで、クーポンサーバ６からクーポン情報を取得する方法である。
【００３２】
第４の方法としては、利用者端末３がＩＣカードの場合には、利用者が利用可能なコンピュータ端末にＩＣカードのＲ／Ｗ装置４を備え、当該店舗のウェブサイトで所定の操作をすることで、コンピュータ端末、Ｒ／Ｗ装置４を介して、ＩＣカードのクーポン情報取得部３０がクーポンサーバ６からクーポン情報を取得し、クーポン情報記憶部３１に記憶しても良い。
【００３３】
なおクーポン情報の取得方法については上述に限定されず、さまざまな方法で取得することができる。
【００３４】
クーポン情報取得部３０では、クーポン情報記憶部３１に記憶したクーポン情報と利用者ＩＤとを紐づけて記憶させることが好ましい。なお、店舗のウェブサイトに利用者ＩＤを用いてアクセスした場合には、すでに店舗側で当該利用者を識別することが可能となっている。その場合には、クーポン情報に利用者ＩＤを紐づけていても良い。
【００３５】
クーポン情報記憶部３１は、クーポン情報と利用者ＩＤとを少なくとも記憶している。
【００３６】
Ｒ／Ｗ装置４は、接触または非接触によって利用者端末３と通信が可能な装置であって、店舗またはＲ／Ｗ装置４を識別可能なＩＤ（以下、総称して「端末ＩＤ」という）が記憶されている。Ｒ／Ｗ装置４と利用者端末３との間の通信にはさまざまな通信方式があるが、たとえばＮＦＣ方式（Near Field Communication）などのＲＦＩＤが一例としてある。なお、これには限定されない。また、Ｒ／Ｗ装置４には、インターネットなどのネットワークでの通信が可能な装置と、ネットワークでの通信が行えない装置のいずれも用いることができる。
【００３７】
ネットワークでの通信が可能なＲ／Ｗ装置４の場合、利用者端末３のクーポン情報記憶部３１に記憶されたクーポン情報と利用者ＩＤとを読み取り、読み取ったクーポン情報と利用者ＩＤと端末ＩＤと利用日時情報とをクーポン利用情報としてクーポン利用証明サーバ２に送信する。なお、ここでネットワークでの通信が可能なＲ／Ｗ装置４とは、Ｒ／Ｗ装置４そのものに通信機能が内蔵されているほか、Ｒ／Ｗ装置４と接続された、ネットワークでの通信が可能な装置（たとえばＰＯＳレジやコンピュータ端末など）の場合も含む。
【００３８】
ネットワークでの通信が行えないＲ／Ｗ装置４の場合、Ｒ／Ｗ装置４に記憶された端末ＩＤを利用者端末３に送り、利用者端末３から、クーポン情報と利用者ＩＤと端末ＩＤと利用日時情報とをクーポン利用情報としてクーポン利用証明サーバ２に送信する。なおこの場合、Ｒ／Ｗ装置４は、アクセス先となるクーポン利用証明サーバ２の情報も端末ＩＤと併せて利用者端末３に送り、その情報に基づいて利用者端末３はクーポン利用情報をクーポン利用証明サーバ２に送る。
【００３９】
クーポン利用証明サーバ２は、クーポン利用情報取得部２０とクーポン利用情報記憶部２１とクーポン利用情報提供部２２と店舗設置端末情報記憶部２３とを有している。
【００４０】
クーポン利用情報取得部２０は、Ｒ／Ｗ装置４または利用者端末３からクーポン利用情報を取得し、クーポン利用情報記憶部２１に記憶させる。
【００４１】
クーポン利用情報記憶部２１は、クーポン利用情報取得部２０で取得したクーポン利用情報を記憶する。クーポン利用情報には、利用者ＩＤと端末ＩＤと利用日時情報とが含まれていることから、どの利用者がいつどこの店舗を利用したかが、少なくとも判定可能である。またクーポン情報が含まれていることから、どのような内容のクーポンを利用したかも判定することができる。図７にクーポン利用情報記憶部２１の一例を模式的に示す。
【００４２】
クーポン利用情報提供部２２は、後述する店舗端末５からクーポン利用情報の取得要求を受け付けた場合、クーポン利用情報記憶部２１から、該当するクーポン利用情報を抽出し、それを店舗端末５に送信する。この取得要求には、店舗を識別する店舗ＩＤが含まれていることから、店舗ＩＤに基づいて、該当するクーポン利用情報をクーポン利用情報提供部２２から抽出し、それを店舗端末５に送信すればよい。また、日時、利用者などが条件として指定されている場合には、さらにそれらを条件として設定して抽出した上で、その結果を店舗端末５に送信すればよい。
【００４３】
店舗設置端末情報記憶部２３は、店舗ごとに設置されているＲ／Ｗ装置４の端末ＩＤを記憶する。すなわち、店舗を識別する店舗ＩＤと、当該店舗に設置されているＲ／Ｗ装置４の端末ＩＤとの対応関係を記憶する。図８に店舗設置端末情報記憶部２３の一例を模式的に示す。なお店舗ＩＤと端末ＩＤとが等しい場合には店舗設置端末情報記憶部２３を設けなくても良い。
【００４４】
店舗端末５は、店舗で利用されるコンピュータ端末であって、クーポン利用証明サーバ２とネットワークを介して情報の送受信が可能である。
【実施例１】
【００４５】
つぎに本発明のクーポンシステム１の処理の流れを図４のフローチャートを用いて説明する。
【００４６】
まずクーポンを利用しようとする利用者は、利用者端末３を用いて所定の操作、たとえば上述の第１乃至第４の方法などにより、利用者端末３でクーポン情報を取得し（Ｓ１００）、それをクーポン情報記憶部３１に記憶させる。そしてクーポン情報提供部は、利用者ＩＤとクーポン情報とを紐づけて記憶させる（Ｓ１１０）。
【００４７】
そして利用者は店舗に赴き、店舗の所定箇所に設置されたＲ／Ｗ装置４に、利用者端末３をかざす。これによって、Ｒ／Ｗ装置４と利用者端末３との間で通信が行われる（Ｓ１２０）。Ｒ／Ｗ装置４がネットワーク通信機能を備えている場合には、利用者が利用者端末３をＲ／Ｗ装置４にかざすことで、Ｒ／Ｗ装置４が利用者端末３のクーポン情報提供部に記憶されたクーポン情報と利用者ＩＤとを読み取る。そしてクーポン情報と利用者ＩＤと、Ｒ／Ｗ装置４の所定の記憶領域に記憶された端末ＩＤと、利用日時とをクーポン利用情報として、ネットワークを介して、クーポン利用証明サーバ２に送信する。
【００４８】
一方、Ｒ／Ｗ装置４がネットワーク通信機能を備えていない場合には、利用者が利用者端末３をＲ／Ｗ装置４にかざすことで、Ｒ／Ｗ装置４が利用者端末３に記憶されたクーポン利用情報をクーポン利用証明サーバ２に送信するためのアプリケーション（このアプリケーションはあらかじめ利用者端末３に記憶されている）を起動させる。そして、Ｒ／Ｗ装置４の所定の記憶領域に記憶された端末ＩＤを利用者端末３に送る。利用者端末３は端末ＩＤをＲ／Ｗ装置４から受け取ると、起動したアプリケーションを用いて、クーポン情報記憶部３１に記憶したクーポン情報と利用者ＩＤと、端末ＩＤと、利用日時（利用日時はＲ／Ｗ装置４から受け取っても良いし、利用者端末３から特定しても良い）とをクーポン利用情報として、ネットワークを介して、クーポン利用証明サーバ２に送信する。
【００４９】
Ｒ／Ｗ装置４または利用者端末３から送信されたクーポン利用情報は、クーポン利用証明サーバ２のクーポン利用情報取得部２０で取得し、クーポン利用情報記憶部２１に記憶する（Ｓ１３０）。
【００５０】
これで、誰がいつどの店舗でクーポンを利用したかが記憶されることとなる。
【００５１】
そして店舗では、その担当者が、店舗端末５を操作することで、クーポン利用証明サーバ２にアクセスする。この際に、どの店舗からのアクセスであるかを特定するため、店舗ＩＤの入力を受け付けていることが良い。そしてアクセス後、クーポン利用情報の取得要求をクーポン利用証明サーバ２に送る。
【００５２】
クーポン利用情報提供部２２は、店舗端末５からクーポン利用情報の取得要求を受け付けると、店舗ＩＤに基づいて、クーポン利用情報記憶部２１に記憶されたクーポン利用情報を抽出し、抽出結果を店舗端末５に送信する（Ｓ１４０）。ここで、店舗ＩＤと端末ＩＤとの対応関係を示す情報を店舗設置端末情報記憶部２３を参照することで、店舗ＩＤに基づいて、クーポン利用情報を特定することが可能である。なお、店舗端末５に対して送る抽出結果としては、利用されたクーポン利用情報のすべてを送っても良いし、一部（たとえば利用日時とクーポンの内容のみ）であっても良い。また、クーポン利用情報をまとめた情報、たとえば、店舗が指定した期間では何件のクーポンの利用があったか、クーポン利用の総額（総額は、個々のクーポンの内容に基づいて合計すれば算出可能である）のように、集計した結果であっても良い。
【００５３】
以上のような処理を実行することで、店舗端末５で、いつ誰がどのようなクーポンを利用したかを閲覧することができる。またクーポン利用情報は、利用者端末３に記憶されたクーポン情報と利用者ＩＤとが含まれているので、実際に利用されたことの証明となり、また悪意ある店員によるクーポンを用いた不正が行いにくくなる。これによって、抑止効果も高まる。
【００５４】
また以上のような処理により店舗端末５でクーポン利用情報の抽出結果を取得すると、その抽出結果と、店舗に備えられている売上を管理する端末（たとえばＰＯＳレジ端末や売上管理ソフトウェアを備えたコンピュータ端末）での上記抽出結果に対する売上におけるクーポンの利用情報とを突合処理することで、クーポンの利用と売上とが一致しているかを自動的に確認できても良い。
【００５５】
たとえばクーポン利用情報の抽出結果における利用日時に基づいて、対応するＰＯＳレジ端末の売上データを抽出し、当該抽出結果のクーポン内容（たとえば割引額）と、売上データにおける割引額とが一致しているか、を判定する処理がある。また、クーポン利用情報の抽出結果における利用日時に基づいて、対応するＰＯＳレジ端末の売上データを抽出し（抽出結果における利用日時あるいはその利用日時から所定範囲内にある利用日時の売上データを抽出する）、当該抽出結果のクーポン内容（たとえばクーポン対応商品）と、売上データにおける売上商品とが一致しているか、を判定する処理がある。なお、この突合の自動判定処理については、さまざまな方法があり、上記に限定されるものではない。
【実施例２】
【００５６】
つぎに本発明のクーポンシステム１における処理を用いた異なる実施態様を示す。本実施態様におけるシステム構成の一例を図９に模式的に示す。本実施態様は、利用者に対して、クーポンの利用履歴に応じて、通常とは異なるクーポン情報（特別クーポン情報）を提供する場合である。本実施態様における全体の概念を図１３に示す。特別クーポン情報は、通常のクーポン情報よりも優遇されたサービスを受けられる（割引率が高い、価格が安い、品数が多い、利用条件が低いなど）クーポン情報である。
【００５７】
本実施態様におけるクーポン利用証明サーバ２では、特別クーポン提供条件判定部２４をさらに備えている。
【００５８】
特別クーポン提供条件判定部２４は、利用者ＩＤと特別クーポン情報を提供するための条件とをクーポンサーバ６から受け取り、クーポン利用情報記憶部２１に記憶するクーポン利用情報から、当該利用者が特別クーポン情報を提供するための条件（特別クーポン情報提供条件）を充足しているかを判定し、その結果をクーポンサーバ６に返す。
【００５９】
つぎに本実施態様における処理の流れを図１０のフローチャートを用いて説明する。なお、本実施態様においては、すでに実施例１の処理が実行され、相当数のクーポン利用情報がクーポン利用情報記憶部２１に記憶されているとする。
【００６０】
ある利用者がクーポン情報を取得したい場合、上述のように、利用者端末３を用いて所定の操作、たとえば第１乃至第４の方法などにより、利用者端末３からクーポンサーバ６にアクセスすることで、クーポン情報取得要求をクーポンサーバ６で受け付ける（Ｓ２００）。
【００６１】
この際に利用者を特定するための利用者ＩＤが利用者端末３からクーポンサーバ６に送られる（Ｓ２１０）。これは、利用者端末３で利用者が利用者ＩＤなどの入力をし、それがクーポンサーバ６に送られても良いし、クーポン情報が表示される画面にアクセスするためのアクセス先を示す情報にパラメータとして利用者ＩＤが含まれることで、クーポンサーバ６に送られても良い。またそれら以外の任意の方法で送られても良い。また、どの店舗に対するクーポン情報を提供するのかを特定するため、店舗ＩＤも利用者端末３からクーポンサーバ６に送られていることが好ましい。
【００６２】
クーポンサーバ６は、利用者端末３からクーポン情報取得要求を受け付けると、当該クーポン情報の対応する店舗の特別クーポン情報を提供するための条件を抽出し（あらかじめ店舗ＩＤに対応づけてクーポンサーバ６で記憶していることが好ましい）、利用者ＩＤと特別クーポン情報提供条件とをクーポン利用証明サーバ２に送る。たとえば、「特別クーポン情報提供条件が、店舗ＩＤ「ＡＢＣＤＥ」について過去３ヶ月以内に利用があること」と設定されている場合、それが特別クーポン情報提供条件としてクーポン利用証明サーバ２に、利用者ＩＤとともに送られる。
【００６３】
特別クーポン提供条件判定部２４は、クーポンサーバ６から受け取った特別クーポン情報提供条件と、利用者ＩＤとに基づいて、クーポン利用情報記憶部２１を検索することで、当該利用者が特別クーポン情報提供条件を充足しているかを判定する（Ｓ２２０）。
【００６４】
たとえば特別クーポン提供条件判定部２４で受け取った利用者ＩＤが「ａａａａａ」で、特別クーポン情報提供条件が上述の場合、利用者ＩＤ「ａａａａａ」に基づいて、過去３ヶ月以内のクーポン利用情報を検索し、条件を充足するかを判定する。なお、上述の特別クーポン情報提供条件に店舗ＩＤが含まれている場合には、店舗ＩＤに基づいて店舗設置端末情報記憶部２３を検索し、対応する端末ＩＤを抽出すればよい。
【００６５】
そしてＳ２２０での判定の結果、特別クーポン情報提供条件を充足している場合には（Ｓ２３０）、特別クーポン提供条件判定部２４は、クーポンサーバ６に対して、条件充足であることを結果として返す。そしてクーポンサーバ６は、利用者端末３に対して、特別クーポン情報を送る（Ｓ２４０）。
【００６６】
一方、Ｓ２２０での判定の結果、特別クーポン情報提供条件を充足していない場合には（Ｓ２３０）、特別クーポン提供条件判定部２４は、クーポンサーバ６に対して、条件未充足であることを結果として返す。そしてクーポンサーバ６は、利用者端末３に対して、通常のクーポン情報を送る（Ｓ２５０）。なお、通常のクーポン情報を送らずに、クーポン情報がなかったことの情報を送っても良い。
【００６７】
以上のような処理を実行することで、頻繁にクーポン情報を利用する利用者に対しては、通常よりも優れた特別クーポン情報を提供することができる。
【００６８】
なお上述の説明では、クーポンサーバ６が特別クーポン情報提供条件をクーポン利用証明サーバ２に送る構成としたが、特別クーポン情報提供条件を店舗ＩＤに対応づけてクーポン利用証明サーバ２に記憶しておき、クーポンサーバ６から店舗ＩＤを受け取ることで特別クーポン情報提供条件を特定しても良い。
【実施例３】
【００６９】
つぎに本発明のクーポンシステム１における処理を用いた異なる実施態様を示す。本実施態様におけるシステム構成の一例を図１１に模式的に示す。本実施態様は、クーポンサーバ６の代わりに、利用者端末３にクーポン情報を提供するクーポン情報提供装置７を設けた場合である。
【００７０】
クーポン情報提供装置７は、利用者端末３に対して接触または非接触により、クーポン情報を提供する。従って、あらかじめクーポン情報をクーポン情報提供装置７の所定の記憶領域に記憶している。
【００７１】
クーポン情報提供装置７は、たとえば駅の階段や出入口などに設置されており、利用者が利用者端末３をクーポン情報提供装置７にかざすことで、クーポン情報を取得することができる。これを模式的に示すのが図１２（ａ）である。また、クーポン情報提供装置７は、近距離無線通信によって、利用者端末３にクーポン情報提供装置７にクーポン情報を提供できても良い。これを模式的に示すのが図１２（ｂ）である。図１２では、地下鉄の通路から地上へ上がるための出入口の階段付近の壁面にクーポン情報提供装置７が設置されている。
【００７２】
クーポン情報提供装置７には、その出入口の周辺に存在する店舗のクーポン情報が記憶されていることが好ましい。
【００７３】
利用者が地下鉄などを利用していて地上へ上がる場合、地上への出入口を利用する。そして、クーポン情報を取得することを望む場合、利用者は、出入口付近に設置されているクーポン情報提供装置７に利用者端末３をかざす。あるいはクーポン情報提供装置７が近距離無線通信によってクーポン情報を提供している場合には、クーポン情報提供装置７の付近を利用者端末３を所持しながら通過する。
【００７４】
このように、クーポン情報提供装置７にかざす、あるいはその付近を通過するなどによって、利用者端末３のクーポン情報取得手段は、クーポン情報提供装置７からクーポン情報を取得する。
【００７５】
クーポン情報取得手段が取得したクーポン情報はクーポン情報記憶手段に記憶される。そしてクーポンを利用したい場合には、上述の実施態様１と同様の処理を実行する。
【００７６】
このように、地下鉄の通路から地上への出入口付近にクーポン情報提供装置７を設置し、かつそこで提供するクーポン情報が、当該出入口の周辺に存在する店舗のクーポン情報の場合、利用者のクーポン情報および店舗に対する認識度も高まることから効果的である。
【００７７】
また、クーポン情報に利用期限を設定しておいても良い。この利用期限としては、クーポン情報提供装置７が設置されている付近から当該店舗までに要する時間あるいはその時間に所定時間を加算した時間とすることもできる。これによって、出入口から店舗に直接来店する動機づけを行うことができる。また、利用期限としては、利用者端末３でクーポン情報を取得した時刻を起算点とし、その起算点に出入口から店舗までの移動に要する時間を加算した時間（あるいはそれに所定時間を加算した時間）として設定しても良い。また利用者端末３における計時部で計時をすることで利用期限を監視し、利用期限経過後は、当該クーポン情報はクーポン情報記憶部３１から消去するようにしても良い。
【００７８】
このクーポン情報には地図情報が付されていると良い。そしてこの地図情報に、当該出入口から店舗までの道案内情報が付加されているとさらに良い。
【００７９】
クーポン情報提供装置７は複数の店舗のクーポン情報を提供しても良い。この場合、各クーポン情報ごとの利用期限が異なって設定されていても良い。
【産業上の利用可能性】
【００８０】
本発明の認証付きクーポンシステム１を用いることで、利用者が実際に利用したクーポンであることを店舗が確認することができるので、悪意ある店員によるクーポンを用いた不正を防止することができる。
【符号の説明】
【００８１】
１：認証付きクーポンシステム
２：クーポン利用証明サーバ
３：利用者端末
４：Ｒ／Ｗ装置
５：店舗端末
６：クーポンサーバ
７：クーポン情報提供装置
２０：クーポン利用情報取得部
２１：クーポン利用情報記憶部
２２：クーポン利用情報提供部
２３：店舗設置端末情報記憶部
２４：特別クーポン提供条件判定部
３０：クーポン情報取得部
３１：クーポン情報記憶部
７０：演算装置
７１：記憶装置
７２：表示装置
７３：入力装置
７４：通信装置
【図１】
2012181637.tif 000003
【図２】
2012181637.tif 000004
【図３】
2012181637.tif 000005
【図４】
2012181637.tif 000006
【図５】
2012181637.tif 000007
【図６】
2012181637.tif 000008
【図７】
2012181637.tif 000009
【図８】
2012181637.tif 000010
【図９】
2012181637.tif 000011
【図１０】
2012181637.tif 000012
【図１１】
2012181637.tif 000013
【図１２】
2012181637.tif 000014
【図１３】
2012181637.tif 000015